(57)【要約】    【課題】  複数種類のカードを同一の搬送路を搬送してデータ処理する装置の小型化を可能にするカード処理装置を提供する。    【解決手段】  データを記録するトラック位置が異なり且つ厚みの異なる複数種類のカードを搬送して各カードのデータの読取り又は書込み処理を個別に実行可能とするカード処理装置であって、前記複数種類のカードを搬送する同一の搬送路５に、前記各カードに対して前記データ処理をそれぞれ行う各読取書込部を、前記各カードのトラック位置に対応して搬送方向に直交する方向の略同一軸上に配列してデータ処理手段１とする構成とした。さらに、前記各読取書込部と同じ搬送路５位置に第１モータ８Ａにより駆動される搬送手段６を設けた。【選択図】      図１
2006079367.tif 000002
【特許請求の範囲】
【請求項１】
データを記録するトラック位置が異なり且つ厚みの異なる複数種類のカードを搬送して各カードのデータの読取り又は書込み処理を個別に実行可能とするカード処理装置であって、
前記複数種類のカードを搬送する同一の搬送路に、前記各カードに対して前記データ処理をそれぞれ行う各読取書込部を、前記各カードのトラック位置に対応して搬送方向に直交する方向の略同一軸上に配列する構成としたことを特徴とするカード処理装置。
【請求項２】
前記各読取書込部と同じ搬送路位置に駆動部により駆動される搬送手段を設けたことを特徴とする請求項１に記載のカード処理装置。
【請求項３】
前記各読取書込部の配列方向の少なくとも一側方に前記搬送手段を設けると共に、該搬送手段の軸支部と、前記各読取書込部の上方に軸支されて該各読取書込部にカードを圧接する押圧ローラの軸支部とを分離したことを特徴とする請求項２に記載のカード処理装置。
【請求項４】
前記搬送手段は、互いに同期して駆動する搬送部材を前記搬送路を挟んで上下に設ける構成としたことを特徴とする請求項２又は３に記載のカード処理装置。
【請求項５】
前記上下の搬送部材は、駆動ギアで連結したことを特徴とする請求項４に記載のカード処理装置。
【請求項６】
前記上下の搬送部材の少なくとも一方のカード接触面を弾性部材で形成したことを特徴とする請求項４又は５に記載のカード処理装置。
【請求項７】
前記弾性部材は、樹脂であることを特徴とする請求項６に記載のカード処理装置。
【請求項８】
前記上下の搬送部材の少なくとも一方は、その軸支部の両端が付勢手段で他方の搬送部材側に付勢された構成としたことを特徴とする請求項６又は７に記載のカード処理装置。
【発明の詳細な説明】
【技術分野】
【０００１】
本発明は、データを記録するトラック位置が異なり且つ厚みの異なる複数種類のカードを搬送して各カードのデータの読取り又は書込み処理を個別に実行可能とするカード処理装置に関し、特に、装置の小型化を可能にするカード処理装置に関する。
【背景技術】
【０００２】
従来、この種のカード処理装置は、一つのカード挿入口から例えば磁気カードやクレジットカード等を挿入できるようにし、搬送路の途中でカードの種別を検出器により検出して、検出器の後方に設けた振分手段によりカードの種別に応じて搬送路を振り分け、それぞれ専用の搬送路の基で個別にデータ処理できるようにしたものである（例えば、特許文献１又は２参照）。
【特許文献１】特開２００２−８３３４７号公報
【特許文献２】特開２００３−１０８９４８号公報
【発明の開示】
【発明が解決しようとする課題】
【０００３】
しかし、このような従来のカード処理装置においては、挿入口は同一であるものの各カードの処理は、分岐して設けられた専用の搬送路でそれぞれ処理するようにしたものであったため、装置が大型化するものであった。
また、カード毎にデータの読取又は書込み処理を行う各読取書込部を搬送方向に直列に接続してカード処理装置を構成することも考えられるが、この場合は、搬送路が長くなり、装置の小型化の実現が困難である。
【０００４】
そこで、本発明は上記問題点に着目してなされたもので、複数種類のカードを同一の搬送路を搬送してデータ処理する装置の小型化を可能にするカード処理装置を提供することを目的とする。
【課題を解決するための手段】
【０００５】
このために、請求項１の発明は、データを記録するトラック位置が異なり且つ厚みの異なる複数種類のカードを搬送して各カードのデータの読取り又は書込み処理を個別に実行可能とするカード処理装置であって、前記複数種類のカードを搬送する同一の搬送路に、前記各カードに対して前記データ処理をそれぞれ行う各読取書込部を、前記各カードのトラック位置に対応して搬送方向に直交する方向の略同一軸上に配列する構成とした。
【０００６】
このような構成により、データを記録するトラック位置が異なり且つ厚みの異なる複数種類のカードを同一の搬送路を個別に搬送し、データの読取り又は書込み処理を行う読取書込部を各カードのトラック位置に対応して搬送方向に直交する方向の略同一軸上に配列し、該各読取書込部で各カードに対してデータ処理をそれぞれ行う。
【０００７】
本発明のカード処理装置は、さらに、請求項２のように、前記各読取書込部と同じ搬送路位置に駆動部により駆動される搬送手段を設けるとよい。この場合、請求項３のように、前記各読取書込部の配列方向の少なくとも一側方に前記搬送手段を設けると共に、該搬送手段の軸支部と、前記各読取書込部の上方に軸支されて該各読取書込部にカードを圧接する押圧ローラの軸支部とを分離してもよい。
【０００８】
請求項４の構成の場合においては、前記搬送手段は、互いに同期して駆動する搬送部材を前記搬送路を挟んで上下に設ける構成とした。この場合、前記上下の搬送部材は、請求項５のように駆動ギアで連結するとよい。
【０００９】
請求項６の構成の場合においては、前記上下の搬送部材の少なくとも一方のカード接触面を弾性部材で形成した。この場合、前記弾性部材は、請求項７のように樹脂とするとよい。
【００１０】
請求項８の場合においては、前記上下の搬送部材の少なくとも一方は、その軸支部の両端が付勢手段で他方の搬送部材側に付勢された構成とした。
【発明の効果】
【００１１】
本発明のカード処理装置によれば、データを記録するトラック位置が異なり且つ厚みの異なる複数種類のカードを同一の搬送路を個別に搬送し、データの読取り又は書込み処理を行う読取書込部を各カードのトラック位置に対応して搬送方向に直交する方向の略同一軸上に複数配列し、該各読取書込部で各カードに対してデータ処理をそれぞれ行うようにしたことにより、複数種類のカードを搬送する搬送路を短くして装置を小型化することができる。
【００１２】
また、各読取書込部と同じ搬送路位置に駆動部により駆動される搬送手段を設ければ、各読取書込部を通過する各カードの往復搬送を安定して行うことができる。したがって、データの処理ミスが減り、安定したデータ処理を実行することができる。
【００１３】
さらに、搬送手段の軸支部と、各読取書込部の上方に軸支されて該各読取書込部にカードを圧接する押圧ローラの軸支部とを分離する構成とすれば、各読取書込部を一体的に配列したデータ処理手段を搬送路に対して固定して配設することができる。したがって、データ処理手段の構成を簡単にすることができる。
【００１４】
また、搬送手段を駆動ギアで連結されて互いに同期して駆動する搬送部材を搬送路を挟んで上下に設ける構成とすれば、搬送力を高くすることができる。したがって、往復方向に各カードをより一層安定して搬送することができる。
【００１５】
さらに、上下の搬送部材の少なくとも一方の表面を弾性部材、具体的には発泡性弾性部材で形成すれば、厚みの異なるカードや表面にエンボス領域を設けたカードに対しても発泡性弾性部材が弾性変形し、カードの厚みの変化や表面の凹凸変化を吸収して安定して搬送することができる。
【００１６】
そして、上下の搬送部材の少なくとも一方の軸支部の両端が付勢手段で搬送路側に付勢されようにすれば、上下の搬送部材の表面同士を確実に密接させることができる。したがって、厚みの異なるカードも安定して搬送することができる。
【発明を実施するための最良の形態】
【００１７】
以下、本発明の実施の形態を添付図面に基づいて詳細に説明する。
図１に、本発明に係るカード処理装置の実施形態の側面透視図を示し、図２は搬送路を示す。
図１及び図２において、本実施形態のカード処理装置は、例えば駐車場の駐車料金精算機等に搭載され、データを記録するトラック位置が異なり且つ厚みの異なる複数種類のカードを搬送して各カードのデータの読取り又は書込み処理を個別に実行可能とするものであり、搬送路５と、データ処理手段１と、搬送手段６とを備えて構成する。
【００１８】
上記搬送路５は、カードの幅に対応して略同じ幅で形成された一本の通路であり、例えば磁気カードやクレジットカード等の厚みの異なる複数種類のカードを搬送するものである。上記搬送路５には、図２に示すように後述の駆動部としてのモータによって駆動される搬送ローラ３ａ，３ｂ，３ｃ，３ｄ，３ｅ，３ｆ、及び図１に示すようにばねにより所定の押圧力で押圧された押圧ローラ２ａ，２ｂ，２ｃ，２ｄ，２ｅ，２ｆを搬送方向に沿って挿入／返却口１１側から順に設け、カードを所定の速度で搬送できるようにしている。なお、挿入／返却口１１には、挿入部シャッター２６を設けてカードのデータ処理中に別のカードが挿入されないようにしている。
【００１９】
ここで、搬送ローラ３ａは、タイミングベルト７ａで第１モータ８Ａに連結された第１タイミングプーリー９Ａによって駆動され、搬送ローラ３ｃは、タイミングベルト７ｂで第２モータ８Ｂに連結された第２タイミングプーリー９Ｂによって駆動され、搬送ローラ３ｅは、タイミングベルト７ｃで第３モータ８Ｃに連結された第３タイミングプーリー９Ｃによって駆動されるようになっている。また、搬送ローラ３ｂはタイミングベルト７ｄで第１タイミングプーリー９Ａと連結された第１プーリー１０Ａによって駆動され、搬送ローラ３ｄはタイミングベルト７ｅで第２タイミングプーリー９Ｂと連結された第２プーリー１０Ｂによって駆動され、搬送ローラ３ｆはタイミングベルト７ｇで第３タイミングプーリー９Ｃと連結された第３プーリー１０Ｃによって駆動されるようになっている。
【００２０】
また、上記搬送路５には、図２に示すようにカードの挿入／返却口１１から奥に向かって順次カードを検出するカード検出センサー１２ａ，１２ｂ，１２ｃ，１２ｄ，１２ｅ，１２ｆ，１２ｇを設けている。上記挿入／返却口１１の両側に配設したカード検出センサー１２ａ，１２ｂは、カードの挿入及びカードの幅を検出するものである。また、その左隣に配設したカード検出センサー１２ｃは、図２中左方向に搬送されるカードを検出してデータ処理手段１による磁気処理開始を指示するものである。さらに、中央部右に配設したカード検出センサー１２ｄは、左方向に搬送されるカードを検出して、後述のサーマルヘッド１３による印字開始を指示するものである。また、その左隣に配設したカード検出センサー１２ｅは、右方向に搬送されるカードを検出してデータ処理手段１による磁気処理開始を指示するものである。さらに、終端近傍部に配設したカード検出センサー１２ｆは、右方向に搬送されるカードを検出して、サーマルヘッド１３による印字開始を指示すると共に、後述の給紙機構から供給される例えば領収書用紙又は磁気ロール紙の先端を検出してその後端部のカットを指示するものである。そして、左端に配設したカード検出センサー１２ｇは、カードの待機位置を検出するものである。
【００２１】
さらに、搬送路５の中程には、サーマルヘッド１３とプラテンローラ１４とで構成する印字手段を設けて、給紙機構と連動して領収書を発行できるようにしている。
【００２２】
また、図１に示すように搬送路５の挿入／返却口１１近傍部及び中程にカードを回収する第１及び第２キャプチャ１５Ａ，１５Ｂを備え、該第１又は第２キャプチャ１５Ａ，１５Ｂを搬送路５の路面上に起立させ、不要となったカードを第１又は第２回収路１６Ａ，１６Ｂに取り込み回収できるようにしている。
【００２３】
そして、搬送路５の終端近傍部には、図示省略の給紙機構を備え、押圧ローラ２ｇと搬送ローラ３ｅに挟まれて供給される領収書用紙又は磁気ロール紙をガイド部材２７で案内して挿入／返却口１１側に向かって搬送路５上に供給できるようになっている。
【００２４】
上記搬送路５には、搬送ローラ３ａと搬送ローラ３ｂとの間にデータ処理手段１を固定して配置している。このデータ処理手段１は、各カードに対してデータの読取り又は書きこみ処理をそれぞれ行う各読取書込部１ａ，１ｂ，１ｃ，１ｄを、各カードのトラック位置に対応して搬送方向に直交する方向の略同一軸上に一体的に配列する構成としたものであり、磁気ヘッドにより構成されている。なお、この場合、上記読取書込部１ａ〜１ｄは、磁気ヘッドのギャップ部であり、該ギャップ部を搬送路５の路面位置に配置してカードの磁気トラックと密接できるようにしている。
【００２５】
上記読取書込部１ａ，１ｂは、図３に示すようにカード裏面の略中央部に設けられた二本の磁気トラック１６ａ，１６ｂに対してデータの読取り又は書込み処理をするものであり、例えば駐車カード（磁気カード）４Ａのデータ処理用として設けている。また、上記読取書込部１ｃ，１ｄは、図４（ａ）に示すようにカード裏面の一端部近傍部に設けられた二本の磁気トラック１６ｃ，１６ｄに対してデータの読取り処理をするものであり、例えばクレジットカード４Ｂのデータ処理用として設けている。なお、この場合、上記二本の磁気トラック１６ｃ，１６ｄには、ＩＳ０−IとＩＳＯ−IIの磁気トラックが対応する。
【００２６】
また、上記データ処理手段１のカード挿入方向前方には、磁気ヘッド１８が設けられている。この磁気ヘッド１８は、図４（ｂ）に示すクレジットカード４Ｂ表面に設けられたＪＩＳ−IIの磁気トラック１６ｅに対してデータの読取り処理をするものであり、図５に示すように、読取書込部を下側にしてばね１９で支持されて搬送路５の上方に設けられている。そして、搬送路５を挟んで対向して設けたローラ２と接触している。このローラ２は内部にベアリングを有し、軸とは空転して突入してきたカードの表面との摩擦力により回転するようになっている。この場合、クレジットカード４Ｂが搬送される際には、磁気ヘッド１８がクレジットカード４Ｂの表面を弾性的に押圧するようになっている。なお、クレジットカードの表面には、同図（ｂ）に示すように、ＪＩＳ−IIの磁気トラック１６ｅを形成した端部と反対側端部近傍は表面を凸状に形成したエンボス領域１７が設けられている。
【００２７】
上記読取書込部１ａ〜１ｄを一体的に設けたデータ処理手段１の一側方には、搬送手段６が設けられている。この搬送手段６は、データ処理手段１に突入するカード４を一定速度で搬送してデータ処理を安定して実行させるためのものであり、図６に示すように搬送路５を挟んで上側に搬送部材としての搬送ローラ３ｈを設け、下側に搬送部材としての搬送ベルト２０を設けて構成し、それぞれ同期して駆動するようになっている。なお、上記搬送手段６は、データ処理部１の搬送方向に直交する方向の両側に設けてもよく、また上下とも搬送ローラ３ｈで形成してもよい。
【００２８】
ここで、上記搬送ローラ３ｈは、カード接触面が弾性力を有し摩擦係数の高い弾性部材、例えば樹脂であり、柔軟性、耐磨耗性、温度特性が安定して得られるように成分調整されたもので、例えば発泡ウレタン、ウレタンゴム、シリコンゴム等で形成されている。また、上記搬送ベルト２０は、図１に示す第１プーリー１０Ａに連結されたプーリー２３ａと搬送ローラ３ｈの下方に設けたプーリー２３ｂとの間に掛け渡されており、プーリー２３ａが第１モータ８Ａの動力によって回転駆動されるのに伴って駆動するようになっている。
【００２９】
図６に示すように、上記搬送ローラ３ｈの軸支部２１の一端部には、駆動ギア２４ａが設けられており、該駆動ギア２４ａがプーリー２３ｂの軸支部２５の一端部に設けた駆動ギア２４ｂに噛合って回転し、搬送ベルト２０の駆動力が搬送ローラ３ｈに伝達されるようにしている。
【００３０】
また、上記搬送ローラ３ｈは、その軸支部２１の両端が密巻き形成された付勢手段としての押圧ばね２２ａで搬送路５側に付勢されており、該押圧ばね２２ａによる下方への押圧力によりばね（弾性力）を強くすることにより、真直ぐ下へ押圧するため、厚みの違うカードが入っても軸が斜めにならないようにして、搬送ベルト２０に安定してローラ表面が均一に密着するようになっている。そして、搬送ローラ３ｈと搬送ベルト２０との間を厚みの異なるカード４や表面に凹凸が形成されたカードが通過しても、この厚みの変化や凹凸を発泡ウレタンで吸収し、搬送ローラ３ｈの軸支部２１が上下動しないようにしている。これにより、駆動ギア２４Ａ，２４Ｂの噛合い状態は変動せず、搬送ローラ３ｈと搬送ベルト２０の駆動状態を安定させることができる。
【００３１】
さらに、上記データ処理手段１の上方には、押圧ローラ２ｈを設けている。この押圧ローラ２ｈは、押圧ばね２２ｂの付勢力によりカードを圧接してカードとデータ処理手段１の読取書込部１ａ〜１ｃとの密着性をよくするためのものであり、データ処理手段１のカード接触幅に略等しい幅を有している。そして、押圧ローラ２ｈの軸支部２８を搬送ローラ３ｈの軸支部２１と分離し、押圧ローラ２ｈが独立してデータ処理手段１を押圧するようになっている。
【００３２】
次に、このように構成された本発明のカード処理装置の動作を駐車料金精算機に搭載した場合を例に説明する。
例えば、本発明のカード処理装置を搭載した駐車料金精算機の前に停車した車を車両感知器が感知すると、図１に示すカードの挿入／返却口１１側に設けた挿入部シャッター２６が開き、カードを受け付け入れ可能状態にする。このとき、挿入／返却口１１から駐車カード４Ａが挿入されると、第１及び第２モータ８Ａ，８Ｂが回転動作して駐車カード４Ａを搬送する。そして、挿入部シャッター２６が閉まる。
【００３３】
搬送ローラ３ａによって搬送された駐車カード４Ａがデータ処理手段１に達すると、搬送手段６がこれを捕らえてデータ処理手段１上を強制的に搬送する。同時に、上記駐車カード４は、押圧ローラ２ｈによりデータ処理手段１に圧接される。このとき、データ処理手段１は、読取書込部１ａ，１ｂで駐車カード４Ａの磁気トラック１６ａ，１６ｂに記録されている駐車開始時刻を読み取る。
【００３４】
次に、上記駐車開始時刻に基づいて駐車料金が算出されると、第２及び第３モータ８Ｂ，８Ｃが順次回転動作してデータ処理手段１上の駐車カード４を図１中左方向に搬送する。
【００３５】
第２及び第３モータ８Ｂ，８Ｃの回転動作によって搬送された駐車カード４をカード検出センサー１２ｇが検知すると、精算のためにクレジットカード４Ｂの挿入を受け付けるために挿入部シャッター２６が開く。そして、精算動作が完了するまで第２及び第３モータ８Ｂ，８Ｃの回転動作が停止し、検知した駐車カード４Ａを搬送路５の終端部に待機させる。
【００３６】
カードの挿入／返却口１１からクレジットカード４Ｂが挿入されると、第１モータ８Ａが回転動作してクレジットカード４Ｂを図１中左方向に搬送する。そして、挿入部シャッター２６が閉まる。
【００３７】
搬送ローラ３ａによって搬送されたクレジットカード４Ｂがデータ処理手段１に達すると、搬送手段６がこれを捕らえてデータ処理手段１上を強制的に搬送する。同時に、データ処理手段１は、、読取書込部１ｃ，１ｄでクレジットカード４ＢのＩＳＯ−I及びＩＳＯ−IIの磁気トラック１６ｃ，１６ｄに記録された情報を読み取る。また、クレジットカード４Ｂの表面に形成されたＪＩＳ−IIの磁気トラック１６ｅの情報は、搬送路５奥に配設した磁気ヘッド１８で読み取る。データ処理手段１又は磁気ヘッド１８が上記情報を読み取ると、該情報に基づいてクレジットカード４Ｂによる駐車料金の精算処理が実行される。
【００３８】
上記駐車料金の精算処理が終了すると、第１及び第２モータ８Ａ，８Ｂが回転動作し、クレジットカード４Ｂを挿入／返却口１１方向に搬送する。同時に挿入部シャッター２６を開いてクレジットカード４Ｂを挿入／返却口１１から返却する。
【００３９】
さらに、第１〜３モータ８Ａ〜８Ｃが回転動作して待機位置に待機中の駐車カード４Ａを図１中右方向に搬送し、搬送路５の路面上に同図中二点鎖線で示すように起立した第１キャプチャ１５Ａによって第１回収路１６Ａに取り込み回収する。
【００４０】
領収書ボタンが操作された場合は、第１〜３モータ８Ａ〜８Ｂが回転動作し、図示省略の給紙機構部から領収書用紙を搬送路５上に供給し、サーマルヘッド１３により利用年月日や駐車料金等を印字して領収書を発行し、挿入／返却口１１から排紙する。
【００４１】
ここで、本発明のカード処理装置は、上記データ処理手段１が読取書込部１ａ〜１ｄを搬送方向に直交する方向の略同一軸上に一体的に配列する構成として異種類のカードを一つのデータ処理手段１でデータ処理すると共に、搬送路５を短くし、装置を小型化している。この場合、上記読取書込部１ａ〜１ｄが搬送方向に直交する方向に並べて配置されているのでデータ処理手段１の幅に合わせて押圧ローラ２ｈも幅広くしている。そして、厚みの薄いカードも良好な密着性が得られるよう押圧ばね２２ｈによって通常よりも強い押圧力が付与されている。この押圧ローラ２ｈは、自ら回転するものではなく、押圧ローラ２２ｈとデータ処理手段１との間にカードが差し込まれたときに回転する。したがって、カードが差し込まれるまでは、負荷となりカードの搬送の妨げとなる。特に、厚みの厚いカードに対しては、より大きな負荷となる。それ故、データ処理手段１の前後に設けた搬送ローラ３ａ，３ｂのみでは、往復搬送される各カードは、押圧ローラ２２ｈの存在によりデータ処理手段１の部分を安定して搬送できない。
【００４２】
そこで、本発明のカード処理装置は、データ処理手段１の搬送方向に直交する方向の一側方にモータ駆動される搬送手段６を配設して、データ処理手段１の部分における各カードの搬送を強制的に行うようにしている。これにより、各カードの往復搬送を安定して行うことができる。特に、搬送路５を挟んで上側に搬送ローラ３ｈを配設し、下側に搬送ベルト２０を配設して両方が各軸支部２１，２５の端部に備えた駆動ギアにより同期して回転するので、搬送力がより高まり各カードをより安定して往復搬送する。
【００４３】
この場合、搬送ローラ３ｈの軸支部２１の両端が押圧ばね２２ａで搬送ベルト２０側に付勢された構成としているので、加工公差を吸収して搬送ローラ３ｈと搬送手段２０の表面同士が安定して密接する。したがって、厚みの薄いカードも安定して搬送される。
【００４４】
また、搬送ローラ３ｈのカード接触面を弾性力の大きい発泡ウレタンで形成しているため、厚みの厚いクレジットカード４Ｂが搬送手段６に突入しても発泡ウレタンが弾性変形して受け入れ、搬送ローラ３ｈの軸支部２１が上下動しない。それ故、駆動ギア２４Ａ，２４Ｂの噛合い状態は変動せず、厚みの厚いカードも安定して搬送される。
【００４５】
さらに、図６（ｂ）に示すようにクレジットカード４Ｂの表面に形成された凸状のエンボス領域１７が同図（ａ）に示すように上記搬送ローラ３ｈを通過しても、搬送ローラ３ｈの発泡ウレタンが変形して上記凸状のエンボスを吸収するので搬送速度が乱されることがない。
【００４６】
また、搬送ローラ３ｈの軸支部２１と、データ処理手段１の上方に軸支されて該データ処理手段１にカードを圧接する押圧ローラ２ｈの軸支部２８とを分離する構成としているので、押圧ローラ２ｈが搬送ローラ３ｈと共に回転駆動することがない。したがって、本発明のカード処理手段においては、押圧ローラ２ｈとデータ処理手段１とが接触しても支障がない。そこで、厚さの異なるカードの対策としてデータ処理手段１を可動させるような構成を採用する必要はなく、データ処理手段１を搬送路５に対して固定して配設できる。これにより、データ処理手段１の構成が簡単になる。
【００４７】
一方、搬送路５の奥に配設した磁気ヘッド１８部分もカードの搬送に対して負荷となる。この場合、カードの先端が磁気ヘッド１８部分に到達するときは、まだカードはデータ処理手段１部分を抜けておらず、カードは、搬送ローラｈと搬送ベルト２０とを駆動ギアで連結して駆動力を高めた搬送手段６により搬送されるので、上記磁気ヘッド１８部分が負荷となってもカードの搬送が乱されることがない。
【００４８】
このように、本発明のカード処理装置によれば、データを記録するトラック位置が異なり且つ厚みの薄い例えば磁気ロール紙からなる駐車カード４Ａや厚いクレジットカード４Ｂ等の複数種類のカードを同一の搬送路５を搬送し、データの読取り又は書き込み処理を行う読取書込部１ａ〜１ｃを上記各カードの磁気トラック１６ａ〜１６ｄに対応して搬送方向に直交する方向に一体的に配列したデータ処理手段１で各カードのデータ処理をするようにしたことにより、搬送路を短くすることができる。したがって、装置を小型化することができる。
【００４９】
また、上記データ処理手段１の搬送方向に直交する方向の一側方に、モータで駆動される搬送手段６を設けたことにより、データ処理手段１を通過する各カードを往復の何れの方向にも安定して搬送することができる。したがって、データの処理ミスをなくして安定した処理動作をデータ処理手段１にさせることができる。
【００５０】
さらに、搬送手段６の搬送ローラ３ｈを発泡ウレタンで形成したことにより、厚みの厚いクレジットカード４Ｂが搬送された場合にも発泡ウレタンが弾性変形して該クレジットカード４Ｂを受け入れて搬送することができる。また、この場合、クレジットカード４Ｂの表面に形成された凸状のエンボス領域１７が搬送ローラ３ｈを通過しても発泡ウレタンが弾性変形して上記凸状のエンボスを吸収し、クレジットカード４Ｂを安定して搬送することができる。
【００５１】
なお、上記実施形態においては、データ処理手段１を搬送路５に固定して配置した場合について説明したが、これに限らず、データ処理手段１を搬送路５に対して上下動するように設けてもよい。この場合、データ処理手段１は、垂直方向に上下動するように形成するのが望ましい。これにより、データ処理手段１上にカードが達したことをカード検知センサーで検知するとデータ処理手段１を垂直方向に上昇させる。この場合、厚みの異なる各カードに対しても読取書込部を確実に当接させてデータ処理を良好に実行することができる。
【００５２】
また、本発明に係るカード処理装置は、駐車料金精算機に搭載されるものに限らず、同一の搬送路５により厚みの異なる複数種類のカードを処理するものであればいかなるものにも適用することができる。
【図面の簡単な説明】
【００５３】
【図１】本発明によるカード処理装置の実施の形態を示す側面透視図である。
【図２】上記カード処理装置の搬送路を示し平面図である。
【図３】上記カード処理装置に適用される駐車カードの磁気トラックの例を示す平面図である。
【図４】上記カード処理装置に適用されるクレジットカードの磁気トラックを示す平面図であり、（ａ）は裏面を示し、（ｂ）は表面を示す。
【図５】上記クレジットカードの表面に形成された磁気トラックのデータを読み取る磁気ヘッドを示す側面図である。
【図６】上記カード処理装置の搬送手段の構成を示す側面図である。
【符号の説明】
【００５４】
１…データ処理手段
１ａ〜１ｄ…読取書込部
２ａ〜２ｈ…押圧ローラ
３ａ〜３ｇ…搬送ローラ
３ｈ…搬送ローラ（搬送部材）
４…カード
４Ａ…駐車カード
４Ｂ…クレジットカード
６…搬送手段
８Ａ〜８Ｃ…第１〜第３モータ（駆動部）
２０…搬送ベルト（搬送部材）
２２ａ…押圧ばね
２２ｂ…押圧ばね（付勢手段）
２４ａ，２４ｂ…駆動ギア
【図１】
2006079367.tif 000003
【図２】
2006079367.tif 000004
【図３】
2006079367.tif 000005
【図４】
2006079367.tif 000006
【図５】
2006079367.tif 000007
【図６】
2006079367.tif 000008